(57)【要約】【課題】  接続する排水管内の空間が加圧や減圧されないように通気を確保でき、且つ、通気した空気が室内に逆流することが無いように設置できるようにする。【解決手段】  本体ケーシング６内に、流入する排水から油分を分離自在なグリース分離部１１と、グリース分離部１１と下流の排水管１３との間を水封するトラップ部１０とを備えたグリーストラップにおいて、トラップ部１０のトラップ管１２に排水管１３通気用の分岐口１２ａを設け、本体ケーシング６の周壁部６ａに、分岐口１２ａに接続する分岐通気管１４を外部通気管１５に連通させるための連通口１６を設けてある。【選択図】        図２
2006070649.tif 000002
【特許請求の範囲】
【請求項１】
本体ケーシング内に、流入する排水から油分を分離自在なグリース分離部と、グリース分離部と下流の排水管との間を水封するトラップ部とを備えたグリーストラップであって、
前記トラップ部のトラップ管に前記排水管通気用の分岐口を設け、前記本体ケーシングの周壁部に、前記分岐口に接続する分岐通気管を外部通気管に連通させるための連通口を設けてあるグリーストラップ。
【請求項２】
前記連通口となり得る連通候補部を前記周壁部に複数設けてあり、それら連通候補部の中から一つを選択的に開口させられるように構成してある請求項１に記載のグリーストラップ。
【請求項３】
前記連通候補部は、前記本体ケーシングの複数の周壁部に各別に形成してある請求項１又は２に記載のグリーストラップ。
【請求項４】
前記分岐口と前記連通口とにわたって前記分岐通気管が取り付けてある請求項１〜３の何れか一項に記載のグリーストラップ。
【請求項５】
前記分岐口と前記連通口とは、前記分岐通気管が、前記本体ケーシング内で水平勾配、又は、前記連通口側から前記分岐口側へ下り勾配となるように高さ設定してある請求項４に記載のグリーストラップ。
【請求項６】
前記分岐通気管は、可撓管で構成してある請求項４又は５に記載のグリーストラップ。
【発明の詳細な説明】
【技術分野】
【０００１】
本発明は、例えば、厨房で発生する排水に混ざっている厨芥や油分を除去して排水管に流せるようにするために設置されるグリーストラップに関し、更に詳しくは、本体ケーシング内に、流入する排水から油分を分離自在なグリース分離部と、グリース分離部と下流の排水管との間を水封するトラップ部とを備えたグリーストラップに関する。
【背景技術】
【０００２】
従来、この種のグリーストラップの一般的なものは、図５に示すように、四角いボックス形状の本体ケーシング６の一方側に排水流入部７を、他方に排水管接続部８が形成されたものがあり、前記本体ケーシング６内は、前記排水流入部７から排水管接続部８にかけて、下部で連通する複数の区画９が形成してあり、それらの区画の内、流路の上手部分がグリース分離部１１となり、下手部分がトラップ部１０として構成されている。また、トラップ部１０には、トラップ管１２が設けてあり、トラップ管１２の一端部は、トラップ部１０内の水位より下方に下向きに開口させてあり、トラップ管１２の他端部は、前記排水管接続部８として構成してある。
この種のグリーストラップの一般的な設置例は、図に示すように、床スラブ２に形成された貫通穴２ａに、本体ケーシング６が挿通する状態に固定され、排水管接続部８は、床スラブ２の下方に位置させてある。この場合、床スラブ下方には、排水管の勾配を確保できる充分な高さの空間が確保し難いことが多いから、排水管は、床スラブと非常に近接した位置に設けられ、排水管には通気管（分岐管）は、設けることができないことが多い（以後、第１従来例と言う）。
また、異なるグリーストラップの従来例としては、排水管内の通気を確保するために、図５に示すように、トラップ管１２の上端部を、本体ケーシング内空間に開口させるように構成したもの（以後、第２従来例と言う）があった（例えば、特許文献１参照）。
また、異なるグリーストラップの従来例としては、排水管内の負圧によって生じるサイフォン現象でグリース分離部に溜まっている油が排水管に吸い込まれるのを防止する目的で、トラップ管の上端部に、排水管内の負圧に対してのみ空気を流通させる通気弁を設け、その通気弁を本体ケーシング内空間や本体ケーシング上蓋に配置したもの（以後、第３従来例と言う）があった（例えば、特許文献２、特許文献３参照）。
【０００３】
【特許文献１】特開２００２−３３９４４９号公報（図１〜５）
【特許文献２】特開平１０−３１１０８３号公報（図２、図３）
【特許文献３】実用新案登録第３０１６３８３号（図２、図４）
【発明の開示】
【発明が解決しようとする課題】
【０００４】
上述した第１従来例によれば、排水管接続部と床スラブとの間に通気管を分岐させて設けることができないような場合、排水管の通気を図ることが困難となり、排水管内の水の動きがわるくなり易い。
即ち、トラップ部での封水と排水管下流側の水とによって排水管内の空間（水面上の空間）が密閉空間となっている状態では、グリーストラップから新たに排水管内に水が流入しようとした場合、密閉空間内の空気は加圧されることとなり、その反発力で水の流れを阻害する危険性がある一方、排水管下流で管外へ水が流出しようとした場合、密閉空間内の空気は減圧されることとなり、同様に水の流れを阻害する危険性がある。従って、当該グリーストラップに接続される排水管内の水が、スムースに流れ難い問題点がある。
また、上述した第２従来例によれば、当該グリーストラップに接続した排水管の通気を図ることができるから上述の問題点は解消するものの、排水管内が加圧状態となる時には、排水管内に溜まった悪臭を伴う空気が、トラップ管の開口から本体ケーシングを通じて室内に逆流することになり、室内環境を悪化させる問題点がある。
また、上述した第３従来例によれば、排水管内が減圧状態になったときの通気確保ができることと、排水管内に溜まった空気が室内側へ流出することは防止できるものの、排水管内が加圧状態になったときには、前記第１従来例と同様に通気の確保が困難で、排水の流れを阻害する危険性がある。更には、油や厨芥等の影響で通気弁が機能障害を生じ易いから、頻繁にメンテナンスが必要となる等の問題点もある。
【０００５】
従って、本発明の目的は、上記問題点を解消し、接続する排水管内の空間が加圧や減圧されないように通気を確保でき、且つ、通気した空気が室内に逆流することが無いように設置できるグリーストラップを提供するところにある。
【課題を解決するための手段】
【０００６】
本発明の第１の特徴構成は、本体ケーシング内に、流入する排水から油分を分離自在なグリース分離部と、グリース分離部と下流の排水管との間を水封するトラップ部とを備えたグリーストラップにおいて、前記トラップ部のトラップ管に前記排水管通気用の分岐口を設け、前記本体ケーシングの周壁部に、前記分岐口に接続する分岐通気管を外部通気管に連通させるための連通口を設けてあるところにある。
【０００７】
本発明の第１の特徴構成によれば、前記トラップ部のトラップ管に前記排水管通気用の分岐口を設け、前記本体ケーシングの周壁部に、前記分岐口に接続する分岐通気管を外部通気管に連通させるための連通口を設けてあるから、前記トラップ管の分岐口と、本体ケーシングの周壁部の連通口とにわたって分岐通気管を接続して、外部通気管を経由させて排水管の通気を図ることが可能となる。この場合、排水管内の空間は、外部通気管を経由して加圧状態や減圧状態に拘わらず直接に通気が図られるから、スムースに水を排水することができることに加えて、排水管内の悪臭が室内に流れ出る事を防止することができる。
また、連通口が、本体ケーシングの周壁部に設けてあるから、連通口に連通させる外部通気管は、本体ケーシングの側方に配管設置することができ、例えば、床スラブの下方側の空間に配管したり、床スラブ上に打設するシンダーコンクリート内に予め配管する等、現場状況に合わせて自由な経路に配管することが可能となり、現場施工性が極めて高くなる。更には、当該グリーストラップの上蓋上に外部通気管が露出するようなことを防止でき、当該グリーストラップの設置空間の使い勝手の良さを維持することができる。
【０００８】
本発明の第２の特徴構成は、前記連通口となり得る連通候補部を前記周壁部に複数設けてあり、それら連通候補部の中から一つを選択的に開口させられるように構成してあるところにある。
【０００９】
本発明の第２の特徴構成によれば、本発明の第１の特徴構成による上述の作用効果を叶えることができるのに加えて、外部通気管を連通させる位置を、複数の連通候補部の中から選択することができ、当該グリーストラップの周囲の環境に合わせて都合の良い位置に外部通気管を連通させることが可能となる。即ち、グリーストラップの周囲には、別の配管やケーブルやダクト等、外部通気管の設置上の障害となるものが存在していることがあり、それらの障害物を避けた位置に外部通気管を連通させることができる連通候補部を選択することにより、当該グリーストラップへの通気配管作業を効率よく実施できるようになる。また、連通口とする連通候補部を選択する際に、連通させた外部通気管の配管経路ができるだけ屈曲せず且つ適切な勾配が得られるようになる連通候補部を選択することが可能となり、その結果、通気配管としての性能向上を図りやすくなる。
【００１０】
本発明の第３の特徴構成は、前記連通候補部は、前記本体ケーシングの複数の周壁部に各別に形成してあるところにある。
【００１１】
本発明の第３の特徴構成によれば、本発明の第１又は２の特徴構成による上述の作用効果を叶えることができるのに加えて、外部通気管を連通させる位置を、本体ケーシングの複数の周壁部の中から選択することができ、当該グリーストラップの周囲の環境に合わせて都合の良い位置に外部通気管を連通させることが可能となる。即ち、グリーストラップの周囲には、別の配管やケーブルやダクト等、外部通気管の設置上の障害となるものが存在していることがあり、それらの障害物を避けた本体ケーシング周壁部に外部通気管を選択的に連通させることにより、当該グリーストラップへの通気配管作業を効率よく実施できるようになる。その結果、環境状況の異なるさまざまな現場に設置しても、好ましい状態に外部通気管を接続することが可能となり、汎用性の高いグリーストラップとすることが可能となる。
【００１２】
本発明の第４の特徴構成は、前記分岐口と前記連通口とにわたって前記分岐通気管が取り付けてあるところにある。
【００１３】
本発明の第４の特徴構成によれば、本発明の第１〜３の何れかの特徴構成による上述の作用効果を叶えることができるのに加えて、前記分岐口と前記連通口とにわたって取り付けられた前記分岐通気管を通して、下流側に接続された排水管内と、連通口に連通接続された外部通気管とを連通させて、排水管に対する通気を図ることができる。そして、予め、分岐通気管が設けられているから、当該グリーストラップを排水管に連通する状態に設置する通常の設置作業に加えて、前記連通口に外部通気管を連通接続させるだけでの簡単な作業によって、前記排水管に対する通気を確保することが可能となる。
【００１４】
本発明の第５の特徴構成は、前記分岐口と前記連通口とは、前記分岐通気管が、前記本体ケーシング内で水平勾配、又は、前記連通口側から前記分岐口側へ下り勾配となるように高さ設定してあるところにある。
【００１５】
本発明の第５の特徴構成によれば、本発明の第１〜４の何れかの特徴構成による上述の作用効果を叶えることができるのに加えて、例えば、結露等によって発生した外部通気管や分岐通気管内の水が、前記分岐通気管内の勾配に沿ってトラップ管側へ誘導され易くなり、管内の水たまりによる通気障害の発生を未然に防止することが可能となる。
【００１６】
本発明の第６の特徴構成は、前記分岐通気管は、可撓管で構成してあるところにある。
【００１７】
本発明の第６の特徴構成によれば、本発明の第１〜５の何れかの特徴構成による上述の作用効果を叶えることができるのに加えて、本体ケーシング内に浮上した油分等の除去作業や、グリーストラップ内の清掃作業の際、前記分岐通気管が障害となる場合には、撓ませて障害となり難い姿勢に変更することが可能となり、グリーストラップのメンテナンス作業の効率低下を防止することが可能となる。また、連通口の位置が複数の連通候補部の中の何れの位置であっても、分岐通気管を撓ませて前記分岐口との間に設置することができるようになり、各連通候補部毎に分岐口と接続できる形状に成形した専用の分岐通気管を用意しなくても、可撓管で構成された分岐通気管でそれらの兼用化を図ることが可能となり、より安価にグリーストラップを構成することが可能となる。
【発明を実施するための最良の形態】
【００１８】
以下に本発明の実施の形態を図面に基づいて説明する。尚、図面において従来例と同一の符号で表示した部分は、同一又は相当の部分を示している。
【００１９】
図１は、本発明のグリーストラップの一実施形態品（以後、グリーストラップという）１が設置されている状況を示すもので、グリーストラップ１は、建物の厨房部分に設置されている。
【００２０】
厨房部分は、図に示すように、鉄筋コンクリート造の床スラブ２上に、シンダーコンクリートからなる表層３が形成され、この表層３に、厨房の水を排水するための排水溝４が設けられている。
そして、排水溝４の終端付近に、排水溝４からの排水を受け入れ自在な状態に当該グリーストラップ１が設置されている。
また、排水溝４やグリーストラップ１の上には、グレーチング等の蓋部材５が設けられている。
【００２１】
前記グリーストラップ１は、四角いボックス形状の本体ケーシング６を備えて構成してあり、本体ケーシング６の一方側に排水流入部７を、他方に排水管接続部８が形成してある。前記本体ケーシング６内は、前記排水流入部７から排水管接続部８にかけて、下部で連通する複数の区画９が形成してある。
複数の区画の内、本体ケーシング内流路の最も上流側（排水流入部側）に位置する区画９ａは、排水溝４からの排水に混ざった粗ごみ等を除去できるように構成された槽であり、フィルタｆが設けてある。
また、複数の区画の内、流路方向中間部の区画９ｂは、油分を比重分離する区画として構成してある。
そして、最も下流側（排水管接続部側）に位置する区画９ｃは、トラップ部１０として構成されている。
因みに、９ａ、９ｂの区画を合わせてグリース分離部１１と言う。
【００２２】
前記トラップ部１０には、トラップ管１２が設けてある。
トラップ管１２は、その一端部は、トラップ部１０内の水位より下方に下向きに開口させてあり、他端部は、前記本体ケーシング６の下流側の周壁部６ａから外方へ突出する状態に形成してあり、この突出部分に排水管１３が接続されている。このトラップ管１２の突出部分を排水管接続部８と言う。
また、トラップ管１２には、トラップ部１０内に位置する部分に、前記排水管１３の通気を図れる分岐口１２ａを設けてある。
【００２３】
一方、前記本体ケーシング６は、前記床スラブ２に形成された上下方向貫通孔２ａに内嵌する状態に設置してあり、前記排水管接続部８は、床スラブ２の下方に位置するように寸法設定してある。
そして、本体ケーシング６の側方の周壁部６ａには、図２に示すように、前記分岐口１２ａに接続する分岐通気管１４を外部通気管１５に連通させるための連通口１６を設けてあり、この連通口１６と前記分岐口１２ａとの間には、分岐通気管１４を連通接続してある。
因みに、前記連通口１６と分岐口１２ａとは、前記分岐通気管１４が、本体ケーシング６内で水平勾配、又は、前記連通口１６側から前記分岐口１２ａ側へ下り勾配となるように高さ設定してある（図１参照）。
また、前記連通口１６も、設置状態で前記床スラブ２の下方に位置するように設けられており、この連通口１６には、建物外部空間に開口自在に形成された外部通気管１５が連通接続してある。
【００２４】
本実施形態のグリーストラップ１によれば、本体ケーシング６内の空間内に配置された前記分岐通気管１４を通して排水管１３と外部通気管１５とを連通接続することができ、わざわざ、排水管１３の上面に直にエルボ管や分岐配管等からなる通気管を接続しなくても、排水管１３の通気を図ってスムースに水を流すことが可能となり、且つ、グリーストラップ設置作業を効率よく実施できるようになる。
即ち、排水管１３内の空間が減圧を受けるような場合には、トラップ管１２・分岐通気管１４・外部通気管１５を通して建物外部の空気が排水管１３内に供給されることで、排水管内の水の流れをスムースにすることができる一方、排水管１３内の空間が加圧を受けるような場合には、トラップ管１２・分岐通気管１４・外部通気管１５を通して建物外部へ排水管１３内の空気が排気されることで、排水管内の水の流れをスムースにすることができる。
更には、床スラブ２の下方空間に充分な余裕が持てない場合でも上述の通気確保が何ら変わりなく実施できる。
【００２５】
〔別実施形態〕
以下に他の実施の形態を説明する。
【００２６】
〈１〉  前記本体ケーシング６は、先の実施形態で説明した四角いボックス形状のものに限るものではなく、例えば、平面形状が円形のボックス形状であってもよい。また、内部の区画は、三区画に限るものではなく、適宜、変更が可能である。
〈２〉  前記連通口１６は、先の実施形態で説明したように、本体ケーシング６の一方の側方周壁部６ａに形成してあるものに限らず、その位置に替えて、例えば、他方の側方周壁部６ａに設けてあったり、端面側の周壁部６ａに設けてあってもよい。
更には、予め、本体ケーシング６の決められた周壁部６ａに設けてあるものに限るものではなく、例えば、図３に示すように、前記連通口１６となり得る連通候補部１７を前記周壁部６ａに複数設けておき、それら複数の連通候補部１７の中から一つを選択的に開口させて連通口１６とするように構成してあってもよい。この場合、連通候補部１７の具体例としては、着脱自在なキャップや蓋や扉等を設けた候補連通口で構成し、連通口１６として使用するもの以外は、閉塞しておくと言ったものや、予め、周壁部６ａの各開口輪郭部分を切り取り自在な薄肉に構成しておき、連通口１６として使用箇所の開口輪郭部分のみを切り取って開口させると言ったもの等が一例として挙げられる。
また、周壁部６ａに対する連通候補部１７の設置は、一つの周壁部６ａに複数の連通候補部１７を並べて設けておくものや、図３に示すように、本体ケーシング６の複数の周壁部に各別に連通候補部１７を設けておくものであってもよい。
〈３〉  分岐通気管１４は、先の実施形態で説明したように、予め、前記分岐口１２ａと前記連通口１６とにわたって取り付けてあるものに限らず、例えば、一端部のみを、分岐口１２ａに取り付けてあり、他端部は、複数の連通候補部１７から選択した箇所に後から取り付けられるようにしてもよい。更には、両端とも、後付けするように構成してあってもよい。また、分岐口１２ａと分岐通気管１４、及び、連通口１６と分岐通気管１４、及び、連通口１６と外部通気管１５とのそれぞれの接続部は、例えば、フランジ接続や他の公知の接続構造を採用することができる。勿論、接着によって接続するものであってもよい。又は、分岐通気管１４を、本体ケーシング６やトラップ管１２の成形時に、一体的に形成してあってもよい。
又、分岐通気管１４を、例えば、図３に示すように、合成樹脂等によって形成した可撓管で構成してあってもよい。可撓管で構成してあれば、複数の連通候補部１７の何れを選択して連通口１６としても、その位置に合わせて変形させながら分岐口１２ａと連通接続することが可能となる。
また、図４に示すように、当初から、複数の連通候補部１７へ各別に連結自在な複数の連結部を備えた分岐通気管１４を形成しておいてもよい。
【００２７】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【図面の簡単な説明】
【００２８】
【図１】グリーストラップの設置状況を示す側面視断面図
【図２】グリーストラップの平面図
【図３】別実施形態のグリーストラップの平面図
【図４】別実施形態のグリーストラップの平面図
【図５】従来のグリーストラップの設置状況を示す側面視断面図
【符号の説明】
【００２９】
６      本体ケーシング
６ａ    周壁部
１０    トラップ部
１１    グリース分離部
１２    トラップ管
１２ａ  分岐口
１３    排水管
１４    分岐通気管
１５    外部通気管
１６    連通口
１７    連通候補部
【図１】
2006070649.tif 000003
【図２】
2006070649.tif 000004
【図３】
2006070649.tif 000005
【図４】
2006070649.tif 000006
【図５】
2006070649.tif 000007